(57)【要約】【課題】  反射板の裏面からの赤外線反射による誤った光軸一致点を得ることを防止して、施工ミスをなくすこと。製造コストを低減し、さらに製造品質及び反射精度を向上させること。【解決手段】  送信部２から送信された赤外線Ａを受信部３で受信する際に侵入者により赤外線Ａが遮られたときにこれを検知して報知を行なう検知ユニット１と、防犯エリアのコーナー部に配置されて赤外線光軸調整用の反射板１１を回転可能に収納したコーナーユニット１０とを具備する防犯検知装置である。反射板１１の片面１１ａのみに赤外線Ａを反射させる鏡面体１２を設けると共に、反射板１１の裏面１１ｂから赤外線光軸調整時に受信部３への赤外線反射量を一定レベル以下に抑えるための赤外線拡散用のリブ１３を突設した。【選択図】        図１
2006018481.tif 000002
【特許請求の範囲】
【請求項１】
送信部から送信された赤外線を受信部で受信する際に侵入者により赤外線が遮られたときにこれを検知して報知を行なう検知ユニットと、防犯エリアのコーナー部に配置されて赤外線光軸調整用の反射板を回転可能に収納したコーナーユニットとを具備する防犯検知装置であって、上記反射板の片面のみに赤外線を反射させる鏡面体を設けると共に、反射板の裏面から赤外線光軸調整時に受信部への赤外線反射量を一定レベル以下に抑えるための赤外線拡散用のリブを突設したことを特徴とする防犯検知装置。
【発明の詳細な説明】
【技術分野】
【０００１】
本発明は、赤外線反射方式の防犯検知装置に関し、詳しくは赤外線光軸調整ミスを防止するための技術に関するものである。
【背景技術】
【０００２】
住宅外構フェンスの防犯手段として、赤外線を送受信する検知ユニットをフェンスに設置し、侵入者が赤外線を遮断すると警報を発する方式が知られている（例えば、特許文献１参照）。また、一般的には送信機と受信機とが別個である場合が多く、とくに、敷地のコーナー部においては検知ユニットを２個必要とする。この場合、送信機と受信機の数が増えることで外部から見て目立ちやすく、見た目にも物々しいイメージが生じるなど意匠性に劣り、そのうえ侵入者以外の者に対して監視による威圧感を与えるなど、住環境イメージが損なわれるといった問題がある。
【０００３】
そこで本発明者は本発明に至る過程で、図４に示すように、一側面に赤外線Ａを送信する送信部２を有し且つ他側面に赤外線Ａを受信する受信部３を有する送受信一体型の検知ユニット１を用いてフェンス８の外周を連続的に警戒する方式を考えた。また、フェンスコーナー部９には、図５に示す赤外線光軸調整用の反射板１１´を回転可能に収納したコーナーユニット１０を配置して、反射板１１´の角度調整により赤外線Ａの進行方向を変更させるようにした。図中の４、５はレンズ部である。
【０００４】
ところで、上記反射板１１´の片面のみに鏡面体１２を貼着し、裏面１１ｂには貼着しない場合にあっては、例えば図５（ｂ）のように、反射板１１´の裏面１１ｂが受信部３に対向配置されて意図していない赤外線反射により、誤って赤外線光軸調整を終えてしまう場合がある。つまり、反射板１１´の裏面１１ｂは鏡面ではないが、平坦面であるために一定レベルぎりぎりの低レベルで受光される可能性があり、この場合、誤った光軸一致点を得てしまことになる。しかも反射板１１´は外部から見えないため、ミスに気付かないままで施工を終了する可能性がある。
【０００５】
そこで、反射板１１´の両面に鏡面体１２（シート、板等）をそれぞれ貼り付ける場合、誤りなく投受光の光軸一致点が得られるようになるが、この場合、鏡面体１２の数が増え、製造コストが高くなるという問題がある。
【特許文献１】実開平６−６７９０８号公報
【発明の開示】
【発明が解決しようとする課題】
【０００６】
本発明は上記の従来の問題点に鑑みて発明したものであって、反射板の裏面からの赤外線反射による誤った光軸一致点を得ることを防止でき、施工ミスをなくすことができると共に、製造コストを低減でき、さらに製造品質及び反射精度に優れた反射板を有する防犯検知装置を提供することを課題とするものである。
【課題を解決するための手段】
【０００７】
前記課題を解決するために本発明は、送信部２から送信された赤外線Ａを受信部３で受信する際に侵入者により赤外線Ａが遮られたときにこれを検知して報知を行なう検知ユニット１と、防犯エリアのコーナー部に配置されて赤外線光軸調整用の反射板１１を回転可能に収納したコーナーユニット１０とを具備する防犯検知装置であって、上記反射板１１の片面１１ａのみに赤外線Ａを反射させる鏡面体１２を設けると共に、反射板１１の裏面１１ｂから赤外線光軸調整時に受信部３への赤外線反射量を一定レベル以下に抑えるための赤外線拡散用のリブ１３を突設したことを特徴としている。
【０００８】
このような構成とすることで、反射板１１の裏面１１ｂの意図していない赤外線反射はリブ１３によって拡散されるため、たとえ反射板１１の裏面１１ｂからの赤外線反射が受信部３に受光されても、それは一定レベル以下の受光量となるため、誤った光軸一致点を得るようなことがない。しかも、反射板１１の鏡面体１２は片面１１ａだけでよいため、製造コストを低減でき、さらにリブ１３により反射板１１が補強されるために、成型時の反射面の反りの防止等に効果的にとなる。
【発明の効果】
【０００９】
本発明に係る防犯検知装置にあっては、反射板の裏面で赤外線が反射すると、リブにより赤外光は拡散して受信部への反射量が低減し、受信部は一定レベル以上の赤外光を得ることができないため、誤った光軸一致点を得る可能性がなくなり、この結果、光軸の誤調整を未然防止でき、施工ミスをなくすことができる利点がある。しかも、反射板の鏡面体は片面だけでよいため、鏡面体の数を半減でき、製造コストを低減できる利点があり、さらにリブは反射板を補強する役割もあるため、成型時の反射面の反りの防止が可能となり、反射板の製造品質及び反射精度の向上を図ることができる利点もある。
【発明を実施するための最良の形態】
【００１０】
以下、本発明を添付図面に示す実施形態に基いて説明する。
【００１１】
本発明の防犯検知装置は、フェンス等の防犯エリアを連続的に警戒する赤外線検知方式の検知ユニット１と、コーナーユニット１０とで主体が構成されている。
【００１２】
上記検知ユニット１は、図２（ｂ）に示すように、一側面に送信部２を有し他側面に受信部３を有する送受信一体型となっている。送信部２には、赤外線Ａを放つ発光ダイオードからなる上下２個の投光素子が設けられ、受信部３には赤外線Ａを受光するフォトトランジスタからなる上下２個の受光素子が設けられている。そして、この送受信一体型の検知ユニット１を、対向する一方の検知ユニット１の送信部２と他方の検知ユニット１の受信部３とが向かい合わせとなるようにフェンス８（図４）の複数箇所に隔設することで、送信部２から送信された赤外線Ａを受信部３で受信する際に侵入者により赤外線Ａが遮られたときにこれを検知して報知を行なうものである。また１つの検知ユニット１に送受信機能をもたせることにより、検知ユニット１の数が半減して外部から見て目立ちにくくなり、優れた意匠性が得られると同時に住環境イメージが損なわれないようにできる構造となる。なお、赤外線Ａを上下２本（ダブルビーム）とする理由は、鳥などの小動物や落ち葉、外乱等による誤動作を防止するためである。
【００１３】
一方、フェンスコーナー部９（図４）に設置されるコーナーユニット１０は、図２（ａ）、（ｃ）に示すように、上下一対の赤外線光軸調整用の反射板１１と、反射板１１の反射板軸部７と、反射板軸部７を縦軸回りに回転操作するための調整つまみ２８とを備えており、反射板１１と反射板軸部７の一体物をベース６ａに取り付けた状態で赤外線透過性の反射板カバー６で覆うようにしている。そして反射板カバー６の一部に設けた開口（図示せず）から突出する調整つまみ２８を外部から操作することで、反射板軸部７を回転させて反射板１１の角度調整を行なえるようになっている。
【００１４】
ここで、本発明においては、図３（ａ）に示すように、反射板１１の片面１１ａのみに鏡面体１２（シート、板等）が貼り付けられている。反射板１１の裏面１１ｂには、図３（ｂ）、（ｃ）に示すように、赤外線拡散用のリブ１３が立設されている。リブ１３は、赤外線光軸調整時において反射板１１の裏面１１ｂから受信部３への赤外線反射量を一定レベル以下に抑えて、誤った光軸一致点が得られないようにする働きをする。
【００１５】
図３（ｃ）の例では、複数個（例えば、６個）のリブ１３が反射板軸部７の軸方向に沿って突設している。各リブ１３は、反射板１１の裏面１１ｂにて反射する赤外線Ａが図１（ｂ）のように、複数回反射して、十分に減衰させることができるような高さと間隔とを有している。ここでは中央部の２つのリブ高さＨを他のリブ高さｈ（＜Ｈ）より高い形状とし、且つ中央部の２つのリブ間隔Ｄを他のリブ間隔ｄ（＜Ｄ）より広い形状としている。例えばリブ高さＨは５ｍｍ程度、リブ間隔Ｄは２．５ｍｍ程度とされる。
【００１６】
さらに、中央部の２つのリブ１３は、反射板１１の反り防止効果を高めるために、反射板軸部７と一体の構造とされている。本例では中央部の２つのリブ１３間に反射板軸部７の一部が突出している。
【００１７】
しかして、フェンスコーナー部９において赤外線Ａの進行方向を変更させるにあたっては、コーナーユニット１０に設けた調整つまみ２８を回転させて、反射板１１の角度を調整する。このとき、図１（ａ）のように反射板１１の鏡面体１２で赤外線Ａが反射した場合は、受信部３は一定レベル以上の赤外光を得ることができるため、投受光の光軸一致点が得られるようになる。なお図１中の４、５はレンズ部である。
【００１８】
これに対して図１（ｂ）のように、反射板１１の裏面１１ｂで赤外線Ａが反射した場合は、リブ１３により赤外光は拡散して受信部３への反射量が低減し、受信部３は一定レベル以上の赤外光を得ることができず、誤った光軸一致点を得る可能性がなくなる。つまり、光軸一致点が得られる場合は必ず反射板１１の鏡面体１２による赤外線反射のみとなる。この結果、光軸の誤調整を未然に防止することができ、施工ミスをなくすことができる。
【００１９】
しかも、反射板１１の鏡面体１２を片面１１ａだけに貼着すればよいため、鏡面体１２の数を半減でき、製造コストを低減できる利点がある。
【００２０】
さらに、反射板１１の裏面１１ｂに突設される赤外線光軸調整用のリブ１３は、反射板１１を補強する役割もあり、これにより成型時の反射面の反りの防止が可能となり、反射板１１の製造品質及び反射精度の向上を図ることができる利点もある。
【００２１】
なお図１、図２の実施形態では、リブ１３を反射板軸部７の軸方向と平行に縦長状に形成したが、必ずしもこれに限らず、反射板軸部７の軸方向と直交する横方向に形成したり、或いはリブ１３を縦横格子形状に形成してもよいものであり、赤外線拡散効果を得ることができるものであれば、リブ１３の形状は適宜変更自在である。
【００２２】
また、赤外線光軸調整時に反射板１１の裏面１１ｂからの赤外線反射量の減衰効果を高めるためには、成型品である反射板１１の裏面１１ｂの色調を黒色系としたり、或いは、裏面１１ｂ全体を粗らす粗面加工を施すようにしてもよい。
【００２３】
本発明に係る防犯検知装置は、マンション、アパート、一戸建て等の建築物の住宅外構やベランダ等のフェンス以外に、学校等の公共施設の塀廻りにも広く適用できるものである。
【図面の簡単な説明】
【００２４】
【図１】本発明の一実施形態を示し、（ａ）は反射板の鏡面体から受信部へ赤外線反射させた場合であって光軸一致点が得られる場合の説明図、（ｂ）は反射板のリブが設けられ裏面から受信部へ赤外線反射した場合であって光軸一致点が得られない場合の説明図である。
【図２】（ａ）は同上のコーナーユニットの斜視図、（ｂ）は同上の投受光一体型の検知ユニットの斜視図、（ｃ）は同上のコーナーユニットの分解斜視図である。
【図３】（ａ）は反射板を鏡面体側から見た場合の斜視図、（ｂ）は反射板を裏面のリブ側から見た場合の斜視図、（ｃ）は（ｂ）のＤ―Ｄ線断面図である。
【図４】フェンスに配置される防犯検知装置の説明図である。
【図５】従来例を示し、（ａ）は反射板の鏡面体から受信部へ赤外線反射させた場合の説明図、（ｂ）は反射板の鏡面体のない平坦な裏面から受信部へ赤外線反射した場合の説明図である。
【符号の説明】
【００２５】
１  検知ユニット
２  送信部
３  受信部
１０  コーナーユニット
１１  反射板
１１ａ  片面
１１ｂ  裏面
１２  鏡面体
１３  リブ
Ａ  赤外線
【図１】
2006018481.tif 000003
【図２】
2006018481.tif 000004
【図３】
2006018481.tif 000005
【図４】
2006018481.tif 000006
【図５】
2006018481.tif 000007